(57)【要約】      （修正有）【課題】軽量で使用時の取り扱いが極めて簡便で利便性が高く応用範囲の広い太陽光発電電源装置を提供する。【解決手段】先端部材１１を中心にして円筒状に巻き取られたシート状の太陽電池２を、ケース９の開口部に収納することができる軽量かつ簡単な構造になっており、シート状の太陽電池２を引き出して使用する際には、ケースの開口部に設けられた扉１０を開くだけで容易に引き出して拡げることができ、扉１０を閉じれば先端部材１１と閉じた扉１０でシート状の太陽電池２を押えて固定し、余分な部材を必要とすることなく適度なテンションを与えることが出来る構造であり、使用時の取り扱いが極めて簡便な太陽光発電電源装置。【選択図】図１
2010153662.tif 000002
【特許請求の範囲】
【請求項１】
前面上方に開口部が設けられているケースと、
開口部に対応したケース内上段に円筒状に巻き取られた状態で収納されるシート状の太陽電池と、
ケース内の太陽電池を収納したスペース以外のスペースに収納された電気エネルギーを電力として供給するコンバータ及びパワーコンディショナー及び電力を蓄電するバッテリーと、
ケース外面に設けられた複数の種類の器機差込口と、
からなる太陽光発電電源装置であって、
太陽電池の片方の先端とコンバータを接続する接続部がケースの上下中央部に設けられている構造であることを特徴とする太陽光発電電源装置。
【請求項２】
シート状の太陽電池は接続部と反対側のもう片方の先端に先端部材が取り付けられており、ケースの開口部には扉が設置されていることを特徴とする請求項１記載の太陽光発電電源装置。
【請求項３】
シート状の太陽電池は接続部から取り外し可能であることを特徴とする請求項１記載の太陽光発電電源装置。
【発明の詳細な説明】
【技術分野】
【０００１】
本発明は太陽電池と電気制御装置及びバッテリーが一体として収納されており、軽量で使用時の取り扱いが極めて簡便な携帯型の太陽光発電電源装置に関する。          
【背景技術】
【０００２】
シート状の太陽電池を利用し、任意の場所に移動して使用できる太陽光発電装置は各種公開されているが利用用途が広がるとともに利便性が求められている。
特開２００６−８６２０３号公報には、太陽光発電シートが円筒状のケース内に設けてある巻き取りドラムに、引き伸ばし可能に巻き取って収納されており、太陽光発電シートを引き伸ばし及び巻き取る際には、巻き取り手段を用いて巻き取りドラムを回転させて行う構造の太陽光発電装置が記載されている。
また、太陽光発電シートの先端には先端係止部材が設けられている。
また、これ以外に、得られた電気エネルギーを電力として供給する電気制御装置が設けられている。
【０００３】
意匠１２４６６９６号公報には、柔軟性のあるシート状の太陽電池が円筒状のケース内に設けられた巻取りドラムに巻き取られた状態で収納されており、使用する際には引き出す構造の太陽光発電電源装置が記載されている。太陽電池を引き出し及び巻き取る際には、ケース内に収納されている巻取りハンドルを引き出し、このハンドルを使用して巻き取りドラムを回転させて行う構造である。
また、接続した器機に電力を供給する器機接続部が設けてあり、電力を蓄電するバッテリーが内蔵されている。
太陽電池を引き出して使用する際には、それぞれ片方がボールジョイントで固定されており、自由に可動する二本のスタンドの端を太陽電池の先端に設けられた部材のヒモ固定用穴にはめる事で太陽電池にテンションをかけて自立させることができる構造である。
【特許文献１】特開２００６−８６２０３号公報
【特許文献２】意匠１２４６６９６号公報
【発明の開示】
【発明が解決しようとする課題】
【０００４】
これらの文献に記載されている太陽光発電装置や電源装置は、いずれもシート状の太陽電池をケース内に巻き取るための巻き取りドラムと、ドラムを回転させるための巻き取り手段や巻き取りハンドルとで構成されているので、いずれも複雑な構成となっており、余分な部材が必要となるのでメンテナンス等の利便性に問題がある。
【０００５】
文献１では巻き取り手段を用いて巻き取りドラムを回転させてシート状の太陽電池を収納及び引き出しを行う構造であり、また、文献２ではシート状の太陽電池を収納及び引き出す際に、ケースに収納されている巻取り用ハンドルを引き出し、このハンドルを用いて巻き取りドラムを回転させる構造であるから、いずれも複雑な構造となっており太陽電池をセットする際の操作性に問題がある。更に文献２に記載されている電源装置は、使用時に二本のスタンドで太陽電池を自立させる構造であり使用時の操作性に問題がある。
【０００６】
従って、本願発明の目的は、余分な部材を必要としない軽量で使用時の取り扱いが極めて簡便で応用範囲の広い太陽光発電電源装置を提供することにある。
【課題を解決するための手段】
【０００７】
そこでこれらの問題を解決する本願発明は、前面上方に開口部が設けられているケースと、開口部に対応するケース内上段に円筒状に巻き取られた状態で収納されるシート状の太陽電池と、ケース内の太陽電池を収納したスペース以外のスペースに収納された電気エネルギーを電力として供給するコンバータ及びパワーコンディショナー及び電力を蓄電するバッテリーと、ケース外面に設けられた複数の種類の器機差込口と、からなる太陽光発電電源装置であって、太陽電池の片方の先端とコンバータを接続する接続部がケースの上下中央部に設けられている構造であることを特徴とする。
【０００８】
また、シート状の太陽電池は接続部と反対側のもう片方の先端に先端部材が取り付けられており、ケースの開口部には扉が設置されていることを特徴とする。
また、シート状の太陽電池は接続部から取り外し可能であることを特徴とする。
【発明の効果】
【０００９】
本願発明は、前面上方に開口部が設けられているケースと、開口部に対応するケース内上段に円筒状に巻き取られた状態で収納されるシート状の太陽電池と、太陽電池の片方の先端とコンバータを接続する接続部がケースの上下中央部に設けられている構造であるので、ケースの開口部と設置場所との段差により、シート状の太陽電池の引き出しが容易である。
【００１０】
更に、シート状の太陽電池は接続部と反対側のもう片方の先端に先端部材が取り付けられており、ケースの開口部には扉が設置されているので、扉を開くだけで先端部材の重量を利用して太陽電池を容易に引き出して拡げることができる。また、使用の際、シート状の太陽電池を引き出して拡げて扉を閉じれば、シート状の太陽電池を先端部材と閉じた扉で押えて固定するので、スタンド等の余分な部材を必要とすることなくシート状の太陽電池に適度なテンションを与えることが出来るため、効率よく発電を行うことが出来る。
【００１１】
また、本願発明は、ケースの前面上方に開口部が設けられており、開口部に対応するケース内上段に円筒状に巻き取られた状態のシート状の太陽電池を収納できるので、収納するための巻き取りドラムと巻き取り手段や巻き取りハンドル等の余分な部材を必要とせず、軽量で簡単な構造となっており、また故障も少ない。
【００１２】
シート状の太陽電池は接続部から取り外しが可能な構造となっているので、内部の点検やメンテナンスが極めて容易であり、またシート状の太陽電池とコンバータを電気的に接続するケーブルを延長すれば、離れた場所に太陽電池を設置して使用することも可能となる
【００１３】
上記のとおり使用時の取り扱いが極めて簡単で利便性が高いため、アウトドアや災害時など商用電源のない場合にも独立電源として簡便に利用でき、応用範囲が著しく拡張する。
【発明を実施するための最良の形態】
【００１４】
以下、本願発明の実施例を図１〜５に基づいて説明する。
図１は本願発明の実施例を示すもので、この実施例の太陽光発電電源装置１は、前面上方に開口部が設けられているケース９と、ケース９内上段に円筒状に巻き取られた状態で収納され、引き伸ばして使用するシート状の太陽電池２と、ケース９の太陽電池を収納したスペース以外のスペースに太陽電池２から得られた電気エネルギーを電力として供給するコンバータ３及びパワーコンディショナー４と、電力を蓄電するバッテリー５を収納し、ケース外面に器機差込口のＡＣ１００Ｖコンセント６、ＵＳＢソケット７、シガーソケット８が設けられており、持ち運び用ハンドル１３を持つことによって一体として持ち運びが出来る構造である。なおシート状の太陽電池は富士電機システムズ株式会社から調達することが出来る。
【００１５】
図１の実施例に示すシート状の太陽電池２は２４Ｗ程度の出力であり、バッテリー５は１２ＡＨＲ程度の容量のものをケース下段の中央部分に配置し、コンバータ３及びパワーコンディショナー４をバッテリー５の側面に配置する。この配置とすることで重量バランスがよくなり使用する際に安定する。
【００１６】
図２はケース９の開口部に先端部材１１を中心にして円筒状に巻き取られた状態でシート状の太陽電池２が収納され、ケース９の太陽電池２を収納したスペース以外のスペースに収納されているコンバータ３と、ケース９の上下中央部に設けられた接続部１２で接続されている状態を示すものである。また、接続に使用されているネジやホックを取り外せばシート状の太陽電池を自在に取り外すことが出来る。
接続部はケース内部の上下中央部であればどの位置にでも設けることが出来るが、前面側に設けると操作性が最もよくなる。
【００１７】
図３は太陽電池をケースから取り出した状態を表した図面で、ケース９の開口部に先端部材１１を中心にして円筒状に巻き取られた状態で収納されているシート状の太陽電池２を、ケース９の開口部に設けられた扉１０を開くだけで、容易に引き出して拡げることができる状態を示したものである。収納する際には先端部材１１を中心にして適当な大きさに巻き取り、開いた扉１０の内側に挿入するだけで容易に収納することが出来る。
【００１８】
図４は太陽電池をセットした状態を表した図面で、シート状の太陽電池２を引き出して扉１０を閉じれば、先端部材１１と閉じた扉１０でシート状の太陽電池２を押えて固定するので、シート状の太陽電池２に適度なテンションを与えることが出来るため、効率よく発電を行うことが出来る。
【００１９】
図５は器機が接続されている図面で、ケース９の外面に設けられた器機差込口に器機を接続して使用している状態を示す。取り扱いが極めて簡便で利便性が高いことで、独立電源として普及が進展し、アウトドアや災害時など商用電源のない場合の有効利用が拡大できる。
【図面の簡単な説明】
【００２０】
【図１】本願発明の実施例による太陽光発電装置の概略構成図
【図２】本願発明の実施例によるケース内部の概略構成図
【図３】太陽電池をケースから取り出した状態を表した図面
【図４】太陽電池をセットした状態を表した図面
【図５】器機が接続されている図面
【符号の説明】
【００２１】
１・・太陽光発電電源装置
２・・太陽電池
３・・コンバータ
４・・パワーコンディショナー
５・・バッテリー
６・・ＡＣ１００Ｖコンセント
７・・ＵＳＢソケット
８・・シガーソケット
９・・ケース
１０・・扉
１１・・先端部材
１２・・接続部
１３・・ハンドル
【図１】
2010153662.tif 000003
【図２】
2010153662.tif 000004
【図３】
2010153662.tif 000005
【図４】
2010153662.tif 000006
【図５】
2010153662.tif 000007